(57)【要約】【課題】安価で使い勝手のよいケープを提供する。【解決手段】ケープ１は、染毛処理の際に、ユーザの首から下の部分を覆う着用状態で使用されるものであり、単独でケープとして機能するベースケープ１１と、ベースケープ１１に対して取り外し可能に固定され、着用状態においてベースケープ１１の外面に重なった状態で配置されるサブケープ１２とを備える。【選択図】図１
2013162897.tif 000002
【特許請求の範囲】
【請求項１】
染毛処理の際に、ユーザの首から下の部分を覆う着用状態で使用されるケープであって、
単独でケープとして機能するメインシートと、
前記メインシートに対して取り外し可能に固定され、前記着用状態において前記メインシートの外面に重なった状態で配置されるサブシートと、
を備えることを特徴とするケープ。
【請求項２】
請求項１に記載のケープであって、
前記サブシートは、前記着用状態においてユーザの前面となる位置で前記メインシートに対して固定されている
ことを特徴とするケープ。
【請求項３】
請求項１又は請求項２に記載のケープであって、
前記着用状態においてユーザの首回りに位置する前記サブシートの縁部には、前記メインシートの対応する縁部からはみ出した舌片が形成されており、
前記サブシートは、前記着用状態においてユーザの首の後部で前記舌片を前記メインシートの内面側へ折り曲げた状態で使用可能である
ことを特徴とするケープ。
【請求項４】
請求項１から請求項３までのいずれか１項に記載のケープであって、
前記メインシートは、前記着用状態を保持する保持手段を備える
ことを特徴とするケープ。
【請求項５】
請求項１から請求項４までのいずれか１項に記載のケープであって、
前記サブシートは、前記メインシートから取り外してヘアキャップとして使用可能である
ことを特徴とするケープ。
【発明の詳細な説明】
【技術分野】
【０００１】
本発明は、染毛処理の際に、ユーザの首から下の部分を覆うためのケープに関する。
【背景技術】
【０００２】
従来、この種のケープとして、例えば市販の家庭用染毛剤に同封されるような使い捨てのケープが知られている。例えば特許文献１には、頭髪に染毛剤を塗布する際にはケープとして使用することができ、染毛剤を塗布した後にはヘアキャップとして使用することのできる構成について記載されている。
【先行技術文献】
【特許文献】
【０００３】
【特許文献１】特開２００１−３１４２２４号公報
【発明の概要】
【発明が解決しようとする課題】
【０００４】
ところで、市販の家庭用染毛剤に同封されるケープは、安価な（例えば薄いシート状の）ものであり、使い勝手がよいとは言い難いものであった。
本発明は、こうした問題にかんがみてなされたものであり、安価で使い勝手のよいケープを提供することを目的としている。
【課題を解決するための手段】
【０００５】
本発明のケープは、染毛処理の際に、ユーザの首から下の部分を覆う着用状態で使用されるものであり、メインシート及びサブシートを備える。メインシートは、単独でケープとして機能するものである。一方、サブシートは、メインシートに対して取り外し可能に固定され、着用状態においてメインシートの外面に重なった状態で配置されるものである。
【０００６】
このような構成によれば、着用状態においてサブシートがメインシートの外面に重なった状態で配置されることにより、染毛剤によるメインシートの汚れを抑えることができる。したがって、サブシートがメインシートに重なった状態で使用した後、そのサブシートを取り外すことで再度使用することができる。
【０００７】
しかも、サブシートは、メインシートに対して固定されるものであり、単独でケープとして機能するものである必要はない。このため、例えばメインシートよりも薄いシートで形成したり、着用状態を保持する手段を設けないようにするなど、簡素で安価なものとすることができ、その分、メインシートを、丈夫で使い勝手のよいものにすることができる。メインシートは、サブシートの有無に関係なく毎回使用されるため、メインシートの使い勝手をよくすることにより、サブシートが取り付けられた状態及び取り外された状態のいずれにおいても使い勝手を向上させることができる。なお、サブシートは複数枚としてもよい。サブシートの枚数を増やすほど、メインシートの使用回数が増えるため、効率化を図ることができる。
【０００８】
ところで、サブシートは、着用状態においてユーザの前面となる位置でメインシートに対して固定されていてもよい。このような構成によれば、着用状態において、ユーザが、メインシートからサブシートを取り外しやすくすることができる。
【０００９】
また、着用状態においてユーザの首回りに位置するサブシートの縁部に、メインシートの対応する縁部からはみ出した舌片を形成し、着用状態においてユーザの首の後部で舌片をメインシートの内面側へ折り込んだ状態でサブシートを使用可能としてもよい。このような構成によれば、メインシートの内面側へ舌片を折り込むことで、メインシートの内側に形成されやすい隙間が舌片によって埋められやすくなり、染毛剤をユーザの首の後部から侵入しにくくすることができる。
【００１０】
また、メインシートは、着用状態を保持する保持手段を備えていてもよい。このような構成によれば、サブシートには保持手段を設ける必要がないため、サブシートを極めて簡易的なものにすることができる。
【００１１】
また、サブシートは、メインシートから取り外してヘアキャップとして使用可能であってもよい。このような構成によれば、染毛剤の塗布後にサブシートをメインシートから取り外してヘアキャップとして使用することができるため、ヘアキャップを別途用意する必要がない。
【図面の簡単な説明】
【００１２】
【図１】実施形態のケープの平面図である。
【図２】（Ａ）はケープを着用した状態を示す図、（Ｂ）はサブケープを取り外す際の状態を示す図、（Ｃ）はサブケープをヘアキャップとして使用した状態を示す図である。
【発明を実施するための形態】
【００１３】
以下、本発明が適用された実施形態について、図面を用いて説明する。
図１は、本実施形態のケープ１の平面図である。このケープ１は、染毛処理の際に、ユーザの首から下の部分を覆う着用状態で使用されるものであり、１枚のベースケープ１１と、複数枚（この例では４枚）のサブケープ１２と、を備える。なお、染毛処理とは、染毛剤を塗布し、所定時間放置した後、湯で流し、シャンプーで洗浄（必要に応じてトリートメントなど）した後、乾燥させる処理をいう。また、染毛剤とは、ヘアマニキュア、酸化染毛剤、脱色脱染剤、一時着色料等をいう。
【００１４】
ベースケープ１１は、単独でケープとして機能するものである。具体的には、ベースケープ１１は、外形（破線で図示）が長方形のシートであって、その中央位置に円形の孔１１１が形成されたものであり、内縁部（孔１１１の円周部）１１２が円弧状に形成されており、外縁部１１３が直線状に形成されている。また、ケープ１の着用状態では、外縁部１１３が裾部（下端部）となり、内縁部１１２が首部（上端部であって、ユーザの首回りに位置する部分）となる。なお、内縁部１１２の長さは、例えば５０ｃｍ程度とすることができ、外縁部１１３の長さ（四方の合計）は、例えば４００ｃｍ程度とすることができる。
【００１５】
また、ベースケープ１１の内縁部１１２における円周方向の１箇所は、外縁部１１３まで径方向に直線状に切断された形状となっており、ユーザがケープ１を着用しやすくするための前開部１１４が形成されている。そして、前開部１１４における上端部（内縁部１１２側の部分）には、前開部１１４を閉じた状態（着用状態）で保持するための保持部（この例では面ファスナー）１１５が設けられている。なお、ケープ１は、前開部１１４及び保持部１１５がユーザの前面に位置するように着用される。また、隙間からの染毛剤の侵入を防ぐために、前開部１１４を閉じた状態でベースケープ１１の端部同士が重なるような形状であることが好ましい。
【００１６】
一方、サブケープ１２は、着用状態においてベースケープ１１の外面に重なった状態で配置される（ベースケープ１１の外面を覆う）ものであり、ベースケープ１１に対して取り外し可能に固定されている。具体的には、サブケープ１２は、ベースケープ１１における上端部（内縁部１１２側の部分）であって、着用状態においてユーザの肩ライン（前面及び後面の境界）よりも前面側となる固定位置１１６で溶着固定されている。なお、ベースケープ１１に対するサブケープ１２の固定位置は、首近傍であることが好ましい。染毛剤の侵入を防ぐ効果が高く、また、取り外しやすくなるからである。特に、サブケープ１２を取り外しやすくするためには、本実施形態のように、固定位置が前面側にのみ設けられていることが好ましい。また、固定箇所が複数ある場合には、首に沿って並ぶように固定箇所を配置すると、取り外しやすくなるため好ましい。
【００１７】
サブケープ１２は、基本的にはベースケープ１１と同じ形状のものである。すなわち、サブケープ１２も、外形（実線で図示）が長方形のシートであって、ベースケープ１１の孔１１１に対応する孔１２１が形成され、内縁部１２２における円周方向の１箇所が外縁部１２３まで切断された形状となっており、前開部１２４が形成されている。なお、隙間からの染毛剤の侵入を防ぐために、前開部１２４を閉じた状態でサブケープ１２の端部同士が重なるような形状であることが好ましい。
【００１８】
ただし、サブケープ１２は、次の（１）〜（４）の点でベースケープ１１と相違する。
（１）サブケープ１２は、ベースケープ１１の保持部１１５に相当する部位を備えていない。サブケープ１２は、ベースケープ１１に固定された状態で使用されるものであり、単独（ベースケープ１１から取り外した状態）でケープとして使用されるものではないからである。このため、サブケープ１２は、極めて簡易的な形状とすることができる。
【００１９】
（２）サブケープ１２は、孔１２１（内縁部１２２）の形状がベースケープ１１と異なる。具体的には、サブケープ１２の孔１２１（内縁部１２２）には、着用状態においてユーザの首の後部となる位置に、ベースケープ１１の孔１１１（内縁部１１２）よりも内側にはみ出した舌片１２５が形成されている。この舌片１２５は、着用状態において、染毛剤の侵入を抑制するためユーザの背中（首の後部）とベースケープ１１との間の空間を埋めるとともに、サブケープ１２の位置を固定するために、ユーザの首の後部でベースケープ１１の内面側へ折り込まれる。なお、舌片１２５は、空間を埋めるために舌状の形状とすることが好ましいが、これに限ったものではなく、首の後部でベースケープ１１の内面側へ折り込まれる形状であればよい。
【００２０】
（３）サブケープ１２は、ベースケープ１１と比較して安価な材料で形成されている。具体的には、ベースケープ１１が厚手の樹脂製（例えばポリエチレン製やビニール製）のシートで形成されているのに対し、サブケープ１２は薄い透明な樹脂製のシートで形成されている。なお、サブケープ１２が透明であるため、ベースケープ１１の外面をデザイン性の高いものとしても、サブケープ１２越しに視認することができる。
【００２１】
（４）サブケープ１２は、ベースケープ１１が汚れることを防ぐために、外縁部１２３がベースケープ１１の外縁部１１３よりも長く形成されている。ただし、必ずしもベースケープ１１よりも長くする必要はなく、例えばベースケープ１１と同じ長さに形成してもよく、また、ベースケープ１１よりも短くしてもよい。つまり、サブケープ１２により覆われるベースケープ１１の一部が、サブケープ１２の外側に露出するようにしてもよい。ただし、ベースケープ１１の汚れを防ぐという面では、ベースケープ１１の長さ以上とすることが好ましい。
【００２２】
次に、本実施形態のケープ１の使用方法について説明する。
まず、ユーザは、サブケープ１２の舌片１２５をベースケープ１１の内面側へ折り込んだ状態で、ベースケープ１１の内縁部１１２を首に巻きつける。そして、図２（Ａ）に示すように、保持部１１５により最も外側のサブケープ１２の前開部１２４を閉じた状態で保持する。この状態で、ユーザは、頭髪に染毛剤を塗布する。
【００２３】
染毛剤の塗布が完了すると、図２（Ｂ）に示すように、ユーザは、最も外側のサブケープ１２を取り外す。サブケープ１２は、肩ラインよりも前面側となる固定位置１１６で固定されているため、ユーザは、サブケープ１２を容易に取り外すことができる。
【００２４】
その後、図２（Ｃ）に示すように、ユーザは、ベースケープ１１から取り外した使用済みのサブケープ１２で頭部を覆う。つまり、サブケープ１２は、ベースケープ１１から取り外してヘアキャップとして使用可能となっている。具体的には、例えばサブケープ１２の端部を頭部の上方で集め、輪ゴムなどを用いて止めることにより、ヘアキャップとして使用することができる。なお、サブケープ１２に紐を形成し、その紐によって固定するようにしてもよい。
【００２５】
以上説明したように、本実施形態のケープ１によれば、着用状態において最も外側のサブケープ１２が、内側のベースケープ１１やサブケープ１２の外面を覆うため、頭髪に染毛剤を塗布する際に、内側のベースケープ１１やサブケープ１２が染毛剤で汚れてしまうことを防ぐことができる。したがって、最も外側のサブケープ１２が汚れても、そのサブケープ１２を取り外すことでケープ１を再度使用することができる。本実施形態のケープ１は、サブケープ１２を４枚備えるものであるため、ベースケープ１１単独での使用も含めて５回使用することができる。特に、市販の家庭用染毛剤としては、１回使い切りのタイプのものよりも、二連缶エアゾール容器に収容された染毛剤のように複数回に分けて使用できるタイプのものが増えてきているため、そのような染毛剤に同封する場合にも有効である。
【００２６】
しかも、サブケープ１２は、ベースケープ１１に対して固定されるものであり、単独でケープとして機能するものではない。このため、サブケープ１２は、保持部１１５を備える必要がなく、ベースケープ１１よりも薄いシートを用いることができるなど、簡易的で安価な構成にすることができ、その分、複数回使用するベースケープ１１を丈夫で使い勝手のよいものにすることができる。
【００２７】
また、本実施形態のケープ１は、サブケープ１２の舌片１２５をユーザの首の後部でベースケープ１１の内面側へ折り込むことで、ベースケープ１１の内側に形成されやすい隙間を舌片１２５によって埋めることができ、染毛剤をユーザの首の後部から侵入しにくくすることができる。
【００２８】
また、サブケープ１２は、ユーザの前面となる固定位置１１６でベースケープ１１に対して固定されているため、ユーザは、着用状態においてベースケープ１１からサブケープ１２を取り外しやすくすることができる。また、サブケープ１２はユーザの後面となる位置ではベースケープ１１に対して固定されていないが、サブケープ１２の舌片１２５をユーザの首の後部でベースケープ１１の内面側へ折り込むため、後面における位置のずれなどを抑制することができる。
【００２９】
加えて、サブケープ１２は、染毛剤の塗布後にベースケープ１１から取り外してヘアキャップとしても使用することができる。このため、ヘアキャップを別途用意する必要がない。
【００３０】
なお、本実施形態のベースケープ１１が、本発明のメインシートの一例に相当する。また、サブケープ１２が、サブシートの一例に相当し、保持部１１５が、保持手段の一例に相当する。
【００３１】
以上、本発明の実施形態について説明したが、本発明は、上記実施形態に限定されることなく、種々の形態を採り得ることは言うまでもない。
（１）上記実施形態では、着用状態を保持する保持手段として、面ファスナーの保持部１１５を例示したが、これに限定されるものではなく、例えば、ボタンや紐などとしてもよい。
【００３２】
（２）上記実施形態では、サブケープ１２がベースケープ１１に対して溶着固定された構成を例示したが、これに限定されるものではなく、例えば、ベースケープ１１及びサブケープ１２を貫通する孔を形成して固定具で固定する構成や、面ファスナーやボタンなどで固定する構成としてもよい。
【００３３】
（３）上記実施形態では、外形が長方形のベースケープ１１及びサブケープ１２を例示したが、これに限定されるものではなく、例えば外形を円形にしてもよい。ただし、上記実施形態のように外形を長方形にすれば、コンパクトに折り畳むことができるという利点がある。
【００３４】
（４）上記実施形態では、樹脂製のベースケープ１１及びサブケープ１２を例示したが、これに限定されるものではなく、例えば、ベースケープ１１を布製としてもよい。
【符号の説明】
【００３５】
１…ケープ、１１…ベースケープ、１２…サブケープ、１１１…孔、１１２…内縁部、１１３…外縁部、１１４…前開部、１１５…保持部、１１６…固定位置、１２１…孔、１２２…内縁部、１２３…外縁部、１２４…前開部、１２５…舌片
【図１】
2013162897.tif 000003
【図２】
2013162897.tif 000004